(57)【要約】【課題】タバコの吸殻や灰等の回収時に発生する悪臭を効果的に緩和できる遊技機を提供することを課題とする。【解決手段】遊技機１０は、開口凹部５０ｂを手前に向けて回転可能な灰皿５０と、前記灰皿５０の近傍に配され芳香剤５６を収容する芳香容器５２と、を備えている。前記芳香容器５２には芳香放出孔５８が設けられており、前記灰皿５０を回転させると前記芳香容器５２内に気流が発生する。これにより、前記芳香放出孔５８から芳香が放出される。【選択図】図１
2010000259.tif 000002
【特許請求の範囲】
【請求項１】
手前に向けて回転可能に支持された灰皿と、
前記灰皿の近傍に配され芳香剤を収容する芳香容器と、を備え、
前記芳香容器には芳香放出孔が設けられ、前記灰皿を回転させると前記芳香容器内に気流が発生し、前記芳香放出孔から芳香が放出されることを特徴とする遊技機。
【請求項２】
前記芳香容器は、前記灰皿に固定され、
前記芳香放出孔は、芳香容器の背面に設けられていることを特徴とする請求項１に記載の遊技機。
【請求項３】
前記芳香容器の天面には、空気導入孔が設けられ、
前記芳香放出孔は、前記芳香容器の遊技者と対向する面に設けられ、
前記芳香容器内には、空気導入孔と芳香放出孔とをつなぐ芳香流路があり、当該芳香流路内に芳香剤が収容可能であり、
前記芳香容器は、前記灰皿の下方に配置され、前記灰皿を回転させると、前記芳香容器の天面と前記灰皿の底面とが近接離反することを特徴とする請求項１に記載の遊技機。
【発明の詳細な説明】
【技術分野】
【０００１】
本発明は、遊技機に関するものであり、特にタバコの吸殻や灰などから発生する悪臭を芳香によって緩和可能なものに関する。
【背景技術】
【０００２】
従来より、パチンコ装置やパチスロ装置に代表される遊技機の前面下方部には、遊技者の遊技中のタバコの喫煙に供するため、灰皿が設けられている。一般的に、遊技機の灰皿は、吸殻や灰等が投入される開口凹部を、遊技中には上向きにし、吸殻や灰等の回収時には下向きに姿勢を変更できるように回転可能に取り付けられている。下記特許文献１に、このような灰皿が開示されている。
【特許文献１】特開２００８−７９８１１号公報
【発明の開示】
【発明が解決しようとする課題】
【０００３】
一般に、灰皿からタバコの吸殻や灰等のゴミを回収する場合、タバコの灰等が飛散しやすく、悪臭が発生しやすい。そのため従来の遊技機は、灰皿のゴミの回収時に清掃者や周囲の遊技者に対して悪臭による不快感を与えてしまうという課題があった。
【０００４】
そこで本発明は、タバコの吸殻や灰等の回収時に発生する悪臭を効果的に緩和できる遊技機を提供することを課題とする。
【課題を解決するための手段】
【０００５】
上記課題を解決するため提供される本発明の遊技機は、手前に向けて回転可能に支持された灰皿と、前記灰皿の近傍に配され芳香剤を収容する芳香容器と、を備え、前記芳香容器には芳香放出孔が設けられ、前記灰皿を回転させると前記芳香容器内に気流が発生し、前記芳香放出孔から芳香が放出されることを特徴としている。
【０００６】
また本発明の遊技機は、前記芳香容器は、前記灰皿に固定され、前記芳香放出孔は、芳香容器の背面に設けられているものであってもよい。
【０００７】
また本発明の遊技機は、前記芳香容器の天面に空気導入孔が設けられ、前記芳香放出孔が、前記芳香容器の遊技者と対向する面に設けられ、前記芳香容器内に空気導入孔と芳香放出孔とをつなぐ芳香流路があり、当該芳香流路内に芳香剤が収容可能であり、前記芳香容器が、前記灰皿の下方に配置され、前記灰皿を回転させると、前記芳香容器の天面と前記灰皿の底面とが近接離反する構成とすることが可能である。この場合、本発明の遊技機は、前記灰皿の底面には、灰皿の内側に向けて窪む凹部が設けられる構成にすることも可能である。
【発明の効果】
【０００８】
本発明の遊技機は、タバコの吸殻や灰等のゴミを回収する目的等で灰皿を回転させると芳香容器の芳香放出孔から芳香を放出することができる。そのため本発明の遊技機は、ゴミの回収時にタバコの灰等が飛散して悪臭が発生した場合であっても、芳香によってこの悪臭を緩和し、清掃者や周囲の遊技者の不快感を軽減させることができる。
【０００９】
本発明の遊技機は、上述のように芳香容器が前記灰皿に固定され、前記芳香放出孔が、前記灰皿の回転方向と交差する面である芳香容器の背面に設けられている。そのため本発明の遊技機は、芳香容器を灰皿と共に回転させることができる。
【００１０】
これにより芳香容器内には灰皿の回転方向と同一方向の相対的な気流が発生する。灰皿の回転方向と交差する芳香容器の面は、芳香容器内に発生した気流が交差する位置である。本発明の遊技機の芳香容器は、この位置に芳香放出孔が設けられているため、芳香容器内に充満した芳香を効率的に放出させることが可能である。
【００１１】
また本発明の遊技機は、芳香容器の背面に芳香放出孔を設けることで、灰皿内のゴミを落下させた後に、元の姿勢に戻す段階で芳香を効果的に発生させることができる。
【００１２】
本発明の遊技機は、上述のように、芳香容器の天面に空気導入孔が設けられ、前記芳香容器の遊技者と対向する面に芳香放出孔が設けられ、芳香容器内には、空気導入孔と芳香孔とをつなぎ芳香剤が収容される芳香流路があり、芳香容器は、灰皿の下方に配置され、灰皿を回転させると、芳香容器の天面と灰皿の底面とが近接離反するように構成されている。そのため本発明の遊技機は、灰皿を回転させて吸殻や灰などのゴミを排出した後、灰皿を先とは逆方向に回転させて元の姿勢に戻すことによって灰皿の底面を芳香容器の天面に近接させると、灰皿の底面と芳香容器の天面との間に存在する空気を、空気導入孔から芳香容器内に導入し、芳香容器内の芳香を芳香放出孔から放出させて、ゴミ回収時の悪臭を効果的に緩和させることが可能である。
【００１３】
また本発明の遊技機は、灰皿の底面に、灰皿の内側に窪む凹部を設けると、吸殻や灰などを排出した後、灰皿を元の姿勢に戻す際、凹部を設けた分だけより多くの空気を灰皿の底面において捉え、芳香容器内に導入することができ、より多くの芳香を放出させることが可能である。
【発明を実施するための最良の形態】
【００１４】
（第１実施形態）
続いて、本発明の第１実施形態にかかる遊技機１０について、図面を参照しつつ説明する。図１は、遊技機１０を示す斜視図である。図２は、遊技機１０の内部構造を示す正面図である。図３（ａ）は、灰皿の開口凹部が上向き姿勢である回転体を示す断面図である。図３（ｂ）は、回転途中である回転体を示す断面図である。図３（ｃ）は、灰皿の開口凹部が下向き姿勢である回転体を示す断面図である。図４（ａ）は、灰皿の開口凹部が下向き姿勢である変形例の回転体を示す断面図である。図４（ｂ）は、回転途中である変形例の回転体を示す断面図である。図７（ａ）は、灰皿の開口凹部が下向き姿勢である回転体を示す斜視図であり、図７（ｂ）は、変形例の芳香容器の開口が開状態である回転体を示す斜視図であり、図７（ｃ）は、変形例の芳香容器の開口が閉状態である回転体を示す斜視図である。
なお以下の説明では、遊技機１０にて遊技を行う遊技者と対向する面を前面とし、対向する方向を前方とする。また上下左右の位置関係については、特に断りのない限り図１に示す姿勢を基準とする。
【００１５】
図１及び図２に示す遊技機１０は、いわゆるスロットマシンであり、図２に示すように、筐体１２ａと、これに対して開閉自在に取り付けられた前面扉１２ｂとを有する。筐体１２ａの内部には、主として遊技の制御を行うためのメイン制御手段６６や、３つのリール１６、スピーカー２６、メダル払出装置１８に加え、各種センサ類、スイッチ類など、様々な機器が収容されている。一方、前面扉１２ｂの裏側には、主として演出の制御を行うためのサブ制御手段６８が設けられている。
【００１６】
図１に示すように、前面扉１２ｂの表面側（外側）、すなわち遊技機１０の正面をなし、使用状態において遊技者側に向く面は、上から順に上部パネル部３０、中部パネル部３２、操作パネル部３６、下部パネル部３４に大別される。
【００１７】
上部パネル部３０には、遊技機１０の演出効果を高める構成として、画像等を表示する画像表示部２４ａ、効果音が出力される放音部２４ｃ、および演出用ランプ２４ｄなどが所定の位置に設けられる。演出表示部２４ａ、スピーカー２６、演出用ランプ２４ｄは、サブ制御手段６８に対して電気的に接続されており、サブ制御手段６８により各部の動作が制御されている。また図１に示すように、中部パネル部３２には、リール表示窓２４ｂが設けられる。リール表示窓２４ｂは、筐体１２ａに内蔵されるリール１６の外周面を外部から視認可能にする矩形の透明板である。また、操作パネル部３６は、メダル投入用のメダル投入口２０ａや、遊技機１０の操作用のボタン類を備えている。具体的には、リール１６の回転始動用のスタートレバー２２ａや、メダル返却ボタン２２ｂ、内部に貯留されているメダルを投入するためのベットボタン２２ｃ、リール１６を停止させるためのストップボタン２２ｄをはじめとする様々なボタン類を備える部分である。さらに、下部パネル部３４は、メダルを払い出すためのメダル払出口２０ｂ、メダル払出口２０ｂから払い出されたメダルを受けて貯留する受皿２０ｃなどを備え、受皿２０ｃの側方には、灰皿５０と芳香容器５２とで構成される回転体５４が取り付けられている。回転体５４は、図示しない支軸によって軸支されており、使用者が所定の力を加えることで、支軸を中心に回転し姿勢を変えることができる。
【００１８】
灰皿５０は、耐熱性のある硬質樹脂を用いて略直方体状に成形されており、タバコの吸殻や灰を収容する開口凹部５０ｂを備えている。開口の周縁部であって遊技者と対向する部分には、タバコを配置する半円状のタバコ配置溝５５が形成されている。
【００１９】
図３に示すように、灰皿５０の底面５０ａ側には、芳香容器５２が固定されている。芳香容器５２は、芳香剤５６を収容可能な内部空間５２ａを備える箱状の部材である。内部空間５２ａは、前面５２ｂ、背面５２ｃ、側面（図示せず）、天面５２ｄ、および底面５２ｅに囲まれて形成されている。芳香容器５２の遊技者と対向する面である前面５２ｂには、内部空間５２ａへの空気の出入りが可能なスリット状の芳香放出孔５８が設けられている。また図７（ａ）に示すように、芳香容器５２の底面５２ｅには、芳香剤５６を出し入れするための開口６０が設けられており、この開口６０は、カバー部材６２ａによって開閉可能に構成されている。本実施形態においてカバー部材６２ａは、嵌め込み式の蓋である。
【００２０】
芳香容器５２の内部空間５２ａには、所定量の芳香剤５６が収容されている。芳香剤５６の大きさや形状について特に限定があるわけではないが、芳香剤５６の内部空間５２ａは、芳香剤５６が収容された状態で空気の移動が可能な隙間が形成されていることが望ましい。
【００２１】
上記のように構成される回転体５４は、遊技中において、灰皿５０の開口凹部５０ｂを上方に向け、開口凹部５０ｂにタバコの吸殻や灰を投入可能な姿勢で遊技機に設置されている（図３（ａ））。一方、灰皿５０の開口凹部５０ｂに溜まったタバコの吸殻等のゴミの回収は、清掃者が、回転体５４の下方にゴミ袋等のゴミ回収容器を配置し、灰皿５０の開口凹部５０ｂを手前側に移動させ（図３（ｂ））、回転体５４の姿勢が天地逆転して灰皿５０の開口凹部５０ｂが下方に向くように回転体５４を回転させ（図３（ｃ））、灰皿５０の開口凹部５０ｂに溜まったゴミを下方のゴミ回収容器に自然落下させることで容易に行うことができる。
【００２２】
上記のように回転体５４を回転させると、芳香容器５２の内部空間５２ａには、図３（ｂ）に示すように、背面５２ｃから前面５２ｂに向かう相対的な気流が発生する。このとき芳香容器５２の内部空間５２ａには芳香剤５６から発生した芳香が充満している。そのため芳香容器５２の内部空間５２ａに充満する芳香は、回転体５４の回転によって発生した相対的な気流に乗り、芳香容器５２の前面５２ｂに設けられた芳香放出孔５８から外部に放出される。そのため芳香容器５２内の芳香は、回転体５４の芳香放出孔５８の回転軌道に沿って外部に放出されることになる。
【００２３】
灰皿５０のゴミの回収においては、ゴミを下方に自然落下させる段階が、最も灰等が飛散し易く悪臭が発生すると考えられる。本実施形態の遊技機１０は、回転体５４を回転させて灰皿５０の開口凹部５０ｂを下方に向けた際の開口凹部５０ｂの位置が、回転前に芳香容器５２が配置されていた位置である。つまりゴミを落下させる段階で、悪臭発生源である灰皿５０の開口凹部５０ｂが芳香容器５２の芳香放出孔５８の軌道上に配置されている。そのため、本実施形態の遊技機１０は、タバコの灰等が飛散して悪臭が発生すると考えられる位置に、ゴミを落下させる前に芳香を放出することが可能である。その結果、本実施形態の遊技機１０は、ゴミの回収時に発生する悪臭を効果的に緩和させ、清掃者の悪臭による不快感を緩和させることができる。
【００２４】
上記実施形態において、芳香放出孔５８は、芳香容器５２の前面５２ｂに設けられたが、本発明における芳香放出孔５８の位置が、芳香容器５２の前面５２ｂに限定されるわけではない。芳香容器５２における芳香放出孔５８が設けられる位置は、回転体５４の回転によって芳香容器５２内に生じる気流で芳香が効率的に放出される位置が望ましく、特に回転体５４の回転方向と交差する面が推奨される。例えば、芳香放出孔５８は、芳香容器５２の背面５２ｃに設けてもよい。この構成を採用すると、灰皿５０の開口凹部５０ｂを下向き姿勢にして（図４（ａ））、ゴミを落下させた後に、開口凹部５０ｂを手前に引き上げて回転体５４を開口凹部５０ｂが上向く元の姿勢に戻す段階（図４（ｂ））において芳香を効果的に発生させることができる。
【００２５】
詳しく説明すると、図４（ｂ）に示すように、灰皿５０の開口凹部５０ｂを手前に引き上げて回転体５４を回転させると、芳香容器５２の内部空間５２ａには、前面５２ｂから背面５２ｃに向かう相対的な気流が発生する。芳香容器５２内には芳香が充満しているため、芳香容器５２内の芳香は背面５２ｃに向かう気流に乗って、芳香容器５２の背面５２ｃに設けられた芳香放出孔５８から外部に放出される。このとき芳香容器５２から放出される芳香は、芳香放出孔５８が描く軌道に沿って放出される。芳香放出孔５８が描く軌道のうち、特に芳香容器５２の背面５２ｃに設けられた芳香放出孔５８が遊技者側を向く位置は、悪臭が最も発生すると考えられる灰皿５０の開口凹部５０ｂが下向き姿勢である位置と、清掃者との間に位置している。したがって芳香放出孔５８を芳香容器５２の背面５２ｃに設けた場合、本実施形態の遊技機１０は、ゴミの回収後、灰皿５０の開口凹部５０ｂを上向ける段階で、悪臭発生源と清掃者との間に芳香を放出し、悪臭が清掃者側に到達するのを防止し、清掃者が悪臭によって感じる不快感を低減させることができる。また本実施形態の遊技機１０は、電動ファン等の機械的手段を設けることなく、清掃者がゴミ回収のために灰皿５０を回転させるたびに、芳香剤５６の芳香が遊技機１０の周囲に広がるため、周囲の遊技者に対して悪臭による不快感を与えない。
【００２６】
また芳香放出孔５８は、芳香容器５２の前面５２ｂおよび背面５２ｃの両方に設けてもよい。この構成が採用された遊技機１０は、回転体５４を回転させて灰皿５０の開口凹部５０ｂを下向ける段階、および灰皿５０の開口凹部５０ｂを上向きに戻す段階の両段階において、芳香を放出させることができ、ゴミ回収時に生じる悪臭を効果的に緩和させることが可能である。
【００２７】
上記実施形態において、芳香容器５２には、スリット状の芳香放出孔５８が形成されたが、本発明は、芳香放出孔５８の形状に限定があるわけではない。芳香放出孔５８は、芳香容器５２内の芳香剤５６が外部に抜け出さず、空気の出入りが可能であればよい。例えば、複数の孔を網目状や水玉状に設けて構成してもよい。
【００２８】
上記実施形態で示した遊技機１０では、灰皿５０に対して芳香容器５２を固定して回転体５４が構成されたが、回転体５４は、灰皿５０と芳香容器５２とを一体的に形成して構成してもよい。また上記実施形態の芳香容器５２は、芳香剤５６を出し入れするための開口６０を底面５２ｅに設けたが、開口６０の位置は、底面５２ｅに限定されるわけではなく、芳香容器５２のいずれの位置に設けてもよい。
【００２９】
上記実施形態において、芳香容器５２は、嵌め込み式の蓋であるカバー部材６２ａによって開口を開閉する構成であったが、開口を開閉する構成に限定があるわけではない。例えば、図７（ｂ）、（ｃ）に示すように、開口６０が設けられた芳香容器５２の一面に沿ってスライド移動可能な板材をカバー部材６２ｂとして用い、開口６０を開閉可能な構成にしてもよい。また芳香容器５２を引き出し状に形成し、芳香容器５２を灰皿５０に対してスライド移動させることで芳香容器５２の開口６０が開閉される構成を採用することも可能である。
【００３０】
（第２実施形態）
次に、第２実施形態の遊技機９０について、図面を参照しつつ説明する。なお、本実施形態では、第１実施形態と同一部分については同一符号を付して詳しい説明を省略し、異なる部分についてのみ説明する。図５（ａ）は、芳香容器と開口凹部が下向き姿勢である灰皿とを示す断面図である。図５（ｂ）は、芳香容器と回転途中である灰皿とを示す断面図である。図５（ｃ）は、芳香容器と開口凹部が上向き姿勢である灰皿とを示す断面図である。図６（ａ）は、芳香容器と開口凹部が上向き姿勢である変形例の灰皿とを示す断面図である。図６（ｂ）は、芳香容器と回転途中である変形例の灰皿とを示す断面図である。
【００３１】
第１実施形態の遊技機１０では、灰皿５０と芳香容器５２とが一体化され、灰皿５０と芳香容器５２の両方が共に回転する構成であったが、本実施形態の遊技機９０の芳香容器９２は、図５（ａ）〜（ｃ）に示すように、第１実施形態の芳香容器５２のように灰皿５０に一体化されておらず、開口凹部５０ｂが上向き姿勢である灰皿５０の底面５０ａ側に配置され（図５（ｃ））、遊技機９０の下部パネル部３４の所定位置に固定されている。そのため本実施形態の遊技機９０は、灰皿５０のみが支軸（図示せず）を中心にして回転可能である。また灰皿５０を軸支する支軸は、灰皿５０の側面の前方下方領域に配置されている。
【００３２】
本実施形態の芳香容器９２は、第１実施形態の芳香容器５２と同様に、芳香剤５６を収容可能な内部空間９２ａを備える箱状の部材であり、内部空間９２ａは、前面９２ｂ、背面９２ｃ、側面（図示せず）、天面９２ｄ、および底面９２ｅに囲まれて形成されている。芳香容器９２の遊技者と対向する面である前面９２ｂには、内部空間９２ａへの空気の出入りが可能なスリット状の芳香放出孔５８が設けられている。また灰皿５０と対向する面である天面９２ｄには、内部空間９２ａへの空気の出入りが可能な空気導入孔９４が設けられている。また芳香容器９２の底面９２ｅには、第１実施形態の芳香容器５２と同様に芳香剤５６を出し入れするための開口６０が設けられており、この開口６０は、カバー部材６２ａによって開閉可能に構成されている。本実施形態においてカバー部６２ａ材は、嵌め込み式の蓋である。
【００３３】
遊技中において、本実施形態の遊技機９０の灰皿５０は、開口凹部５０ｂを上方に向け、開口凹部５０ｂにタバコの吸殻や灰を投入可能な姿勢で遊技機９０に設置されている（図５（ｃ））。また、灰皿５０の開口凹部５０ｂに溜まったゴミの回収は、清掃者が、灰皿５０の前方下方にゴミ袋等のゴミ回収容器を配置し、灰皿５０の開口凹部５０ｂを手前に傾け、灰皿５０の姿勢が天地逆転して開口凹部５０ｂが下方に向くように灰皿５０を回転させ（図５（ａ））、ゴミを自然落下させることで容易に行うことができる。このとき灰皿５０の開口凹部５０ｂは、芳香容器９２の芳香放出孔５８の近傍に位置している。
【００３４】
ゴミの回収後、図５（ｂ）に示すように、灰皿５０を元の位置に戻そうとすると、灰皿５０の底面５０ａが芳香容器９２の天面９２ｄと近接することになる。このとき灰皿５０の底面５０ａと芳香容器９２の天面９２ｄとの間に存在する空気が、灰皿５０の底面５０ａに押されて、芳香容器９２の天面９２ｄに設けられた空気導入孔９４から芳香容器９２の内部空間９２ａに導入される。空気導入孔９４から空気が導入されると、導入された空気に押されて芳香容器９２の内部空間９２ａに充満する芳香が、芳香容器９２の前面から放出される。即ち、芳香容器９２の内部空間９２ａは、天面９２ｄの空気導入孔９４と前面９２ｂの芳香放出孔５８とをつなぐ芳香流路として機能している。
【００３５】
ここでゴミ回収時においては、ゴミを自然落下させる段階が、最も灰等が飛散し易く悪臭が発生しやすいと考えられる。本実施形態の遊技機９０は、ゴミを落下させるために開口凹部５０ｂを下向けた段階で、灰皿５０は、芳香容器９２の芳香放出孔５８の前方に位置している。そのため本実施形態の遊技機９０は、ゴミの回収において、芳香容器９２の芳香放出孔５８の前方近傍に灰等が飛散することによる悪臭が発生しやすい。かかる知見に基づき提供される本実施形態の遊技機９０は、灰皿５０を回転させて元の上向き姿勢に戻すことにより、悪臭発生源に向けて芳香容器９２の芳香放出孔５８から芳香を放出し、悪臭を効果的に緩和することができる。これにより本実施形態の遊技機９０は、ゴミ回収時に発生する悪臭による清掃者の不快感を効果的に軽減させることができる。
【００３６】
上記実施形態において、灰皿５０の底面５０ａの形状は平面であったが、本発明はこのような構成に限定されるわけではない。例えば、図６に示すように、灰皿５０の底面５０ａに、灰皿５０の内側に窪む凹部９６を設けてもよい。この構成を採用することで、灰皿５０の開口凹部５０ｂを下向き姿勢から上向き姿勢に戻す際に、灰皿５０の底面５０ａの凹部９６でより多くの空気を捉え、芳香容器９２の内部空間９２ａにより多くの空気を導入することが可能になる。その結果、一度の動作でより多くの芳香を芳香放出孔５８から放出し、ゴミ回収時に生じる悪臭を効果的に緩和させることが可能である。
【００３７】
なお、上記実施形態で示した遊技機１０，９０は、いわゆるスロットマシンであったが、本発明はこれに限定されるものではなく特許請求の範囲を逸脱しない範囲でその教示および精神から他の実施形態があり得ることは当業者に容易に理解できよう。例えばパチンコ機に代表されるような他の種類の遊技機への適用が可能である。
【図面の簡単な説明】
【００３８】
【図１】本発明を実施した遊技機を示す斜視図である。
【図２】図１に示す遊技機の内部構造を示す正面図である。
【図３】（ａ）は、灰皿の開口凹部が上向き姿勢である回転体を示す断面図であり、（ｂ）は、回転途中である回転体を示す断面図であり、（ｃ）は、灰皿の開口凹部が下向き姿勢である回転体を示す断面図である。
【図４】（ａ）は、灰皿の開口凹部が下向き姿勢である変形例の回転体を示す断面図であり、（ｂ）は、回転途中である変形例の回転体を示す断面図である。
【図５】（ａ）は、芳香容器と開口凹部が下向き姿勢である灰皿とを示す断面図であり、（ｂ）は、芳香容器と回転途中である灰皿とを示す断面図であり、（ｃ）は、芳香容器と開口凹部が上向き姿勢である灰皿とを示す断面図である。
【図６】（ａ）は、芳香容器と開口凹部が上向き姿勢である変形例の灰皿とを示す断面図であり、（ｂ）は、芳香容器と回転途中である変形例の灰皿とを示す断面図である。
【図７】（ａ）は、灰皿の開口凹部が下向き姿勢である回転体を示す斜視図であり、（ｂ）は、変形例の芳香容器の開口が開状態である回転体を示す斜視図であり、（ｃ）は、変形例の芳香容器の開口が閉状態である回転体を示す斜視図である。
【符号の説明】
【００３９】
１０，９０    遊技機
５０    灰皿
５０ａ    底面（灰皿）
５０ｂ    開口凹部
５２    芳香容器
５２ｃ    背面（芳香容器）
５６    芳香剤
５８    芳香放出孔
９２ｄ    天面（芳香容器）
９２ｂ    前面（芳香容器）
９６    凹部
【図１】
2010000259.tif 000003
【図２】
2010000259.tif 000004
【図３】
2010000259.tif 000005
【図４】
2010000259.tif 000006
【図５】
2010000259.tif 000007
【図６】
2010000259.tif 000008
【図７】
2010000259.tif 000009